(57)【要約】      （修正有）【課題】他者からの飛沫を自身の口と鼻および目の付着を防ぎ、同時に頭部と頭髪への直接の付着を防ぐフェイスシールドを提供する。【解決手段】庇付き帽子６または庇付きヘルメットの庇部に、エルピン２またはクリップでフェイスシールド１を固定装着するフェイスシールドであって、帽子またはヘルメットにフェイスシールドを固定装着することで、他者からの飛沫を自身の口と鼻および目の付着を防ぎ、同時に頭部と頭髪への付着を防ぐことが期待できる。帽子またはヘルメットの庇にフェイスシールドを固定するためには、フェイスシールドに穴３ａ、３ｂ、４ａ、４ｂを開け、エルピンまたはクリップの先をその穴に通し、庇に挟むことで固定する。【選択図】図１
0003232533.tif 000002
【実用新案登録請求の範囲】
【請求項１】
庇付き帽子および庇付きヘルメットの庇部にエルピンまたはクリップでフェイスシールドを固定装着するフェイスシールド。
【考案の詳細な説明】
【技術分野】
【０００１】
本考案は、装着者の咳やくしゃみおよび発声の飛沫が拡散するのを防止し、他者の咳やくしゃみおよび発声の飛沫が顔面および頭部と髪の毛に付着するを防止しするためのフェイスシールド庇付き帽子取り付けタイプに関するものである。
【背景技術】
【０００２】
自身および他者が発する咳、くしゃみ、発声には飛沫が散布する。飛沫の拡散を防止するためには、マスクが最適とされてきた。マスクでは、鼻と口の飛沫拡散および防止に適している。
さらに、フェイスシールドを装着することで、装着者は他者からの飛沫が目に付着することを防止できる。
【０００３】
しかし、他者からの飛沫は顔ばかりでなく頭部髪の毛にも付着する。マスクだけでは、目と髪の毛に付着する他者からの飛沫を防止することはできない。フェイスシールドは、顔面に付着する他者からの飛沫を防止する。このため、マスクとフェイスシールドの併用によって飛沫からの防止は、より強固となるが、頭髪に付着する飛沫を防止することはできない。
【０００４】
他者からの飛沫を防止すべき頭部顔面部の部位を並べる。顔面部では、粘膜を持つ口および鼻と目である。さらに、手および指に付着する飛沫は、顔面や頭部と頭髪に飛沫したものを間接接触することでも付着する。
他者からの飛沫を口および鼻と目および顔面ばかりでなく、頭部と頭髪の飛沫の付着を防止する帽子とフェイスシールドを併せ持つシールドを考案する。
【０００５】
この改善策として、庇付き帽子およびヘルメットの庇部にフェイスシールドに穴を開けエルピンまたはクリップを穴に差し込んで帽子の庇を挟んで装着する。フェイスシールドが装着された庇付き帽子およびヘルメットを被ることで、他者からの飛沫を防止すべき口および鼻と目さらに頭部と頭髪を防御できる。
図１は、業務用の帽子にエルピンとフェイスシールドを装着したときの図である。
図２は、キャップにエルピンとフェイスシールドを装着したときの図である。
図３は、ヘルメットにクリップとフェイスシールドを装着したときの図である。
【先行技術文献】
【特許文献】
【０００６】
【特許文献１】実用新案登録第３２２８６２２号公報
【特許文献２】実用新案登録第３２２８７９６号公報
【特許文献３】実用新案登録第３２２７５０１号公報
【特許文献４】実用新案登録第３２２７０６７号公報
【特許文献５】実用新案登録第３２２７２５４号公報
【非特許文献】
【０００７】
【非特許文献１】ＰＡＮＤ ＡＩＤ ホームページ（ｈｔｔｐｓ：／／ｗｗｗ．ｐａｎｄａｉｄ．ｊｐ／ｈｙｇｉｅｎｅ／ｆａｃｅ−ｓｈｉｅｌｄ）
【考案の概要】
【考案が解決しようとする課題】
【０００８】
解決しようとする問題点は、他者からの飛沫から、顔面ばかりでなく頭部と頭髪に直接付着することを防止することである。
【０００９】
頭部に巻きつけて固定する従来のフェイスシールドは、頭部に巻きつけるフレームを使う。頭部に巻きつけるタイプのフェイスシールドは、フェイスシールドに貼り付けられるスポンジまたは加工が施されていないむき出しのプラスティック製のフレームが長時間頭部に巻きつけることとなり、頭部の皮膚にかゆみや圧迫感をもたらす。 
【課題を解決するための手段】
【００１０】
本考案は、他者からの飛沫を頭髪に直接付着するのを防ぐために、庇付き帽子または庇付きヘルメットを着用することを主要な特徴とする。
【００１１】
フェイスシールドをエルピンまたはクリップをフェイスシールドの穴に差し込んで、帽子およびヘルメットの庇に挟むことで、フェイスシールドを固定するので、フェイスシールドを組み立てたり折ったり曲げたりする必要がなく、取り外しと装着方法が簡単である。
【００１２】
帽子またはヘルメットの庇にフェイスシールドを固定することで、装着者の顔面とフェイスシールド面との距離が広がり、息苦しさや圧迫感から解放される。
【考案の効果】
【００１３】
本考案で使用するフェイスシールドは、ペットボトルと同じ素材であるため、生活ゴミとして処理することができる。
【００１４】
本考案で使用するフェイスシールドは、湾曲して利用するので、装着したまま精密な作業を行うのには適していない。他者との対面時のみ有効である。
【００１５】
帽子またはヘルメットと頭部との間に、冷却した保冷剤を敷くことで、フェイスシールドを装着しながらも熱中症を防止する。
【図面の簡単な説明】
【００１６】
【図１】図１は本考案に係るフェイスシールドを八角帽子に装着した２面図である。
【図２】図２は本考案に係るフェイスシールドをキャップに装着した２面図である。
【図３】図３は本考案に係るフェイスシールドをヘルメットに装着した２面図である。
【図４】図４は本考案に係るエルピンおよびクリップの図である。
【図５】図５は本考案に係るフェイスシールドの平面図である。
【考案を実施するための形態】
【００１７】
フェイスシールドに右側面部に２箇所、正面部に２箇所、左側面部に２箇所の直径６ミリメートルの穴を開ける。または、直径６ミリメートルからなる横１０ミリメートルの丸型楕円の穴を開ける。エルピンまたはクリップは３つ用意する。庇付き帽子または庇付きヘルメットの庇部にエルピンまたはクリップの２つの先端の先を、フェイスシールドの穴に別々に差し込み、結果、庇にフェイスシールドをエルピンまたはクリップで挟み込んで取り付ける。フェイスシールドは、エルピンまたはクリップにぶら下がって固定される。
【００１８】
フェイスシールドに用いられるシールド面の厚さは０．２ミリメートルである。素材はポリエチレンテレフタレート樹脂とし、耐熱性ＰＥＴ製も可とする。
【００１９】
帽子またはヘルメットにフェイスシールドを装着しないときは、B４サイズのクリアフォルダで挟んで保管する。また、クリアフォルダで保管するときには、フェイスシールドをヨード液などの消毒液を浸した和紙に挟み、水で洗い流すことでフェイスシールドの再利用を可とする。
【符号の説明】
【００２０】
１    キャップ用フェイスシールド
２    エルピン
３ａ  フェイスシールドの左上丸穴
３ｂ  フェイスシールドの左下丸穴
３ｃ  フェイスシールドの左上楕円形の穴
３ｄ  フェイスシールドの左下楕円形の穴
４ａ  フェイスシールドの中央上丸穴
４ｂ  フェイスシールドの中央下丸穴
４ｃ  フェイスシールドの中央上楕円形の穴
４ｄ  フェイスシールドの中央下楕円形の穴
５ａ  フェイスシールドの右上丸穴
５ｂ  フェイスシールドの右下丸穴
５ｃ  フェイスシールドの右上楕円形の穴
５ｄ  フェイスシールドの右下楕円形の穴
６    庇付き八角帽子
７    キャップ
８    庇付きヘルメット
９    クリップ
１０  ヘルメット用フェイスシールド 
【図１】
0003232533.tif 000003
【図２】
0003232533.tif 000004
【図３】
0003232533.tif 000005
【図４】
0003232533.tif 000006
【図５】
0003232533.tif 000007
【手続補正書】
【提出日】令和3年2月10日(2021.2.10)
【手続補正１】
【補正対象書類名】実用新案登録請求の範囲
【補正対象項目名】全文
【補正方法】変更
【補正の内容】
【実用新案登録請求の範囲】
【請求項１】
庇付き帽子または庇付きヘルメットの庇部にエルピンまたはクリップでフェイスシールドを固定装着する
【手続補正書】
【提出日】令和3年4月7日(2021.4.7)
【手続補正１】
【補正対象書類名】実用新案登録請求の範囲
【補正対象項目名】全文
【補正方法】変更
【補正の内容】
【実用新案登録請求の範囲】
【請求項１】
庇付き帽子または庇付きヘルメットの庇部にエルピンまたはクリップでフェイスシールドを固定装着するフェイスシールド。